(57)【要約】【課題】地上波デジタルＴＶ放送に対するチャンネルスキャン処理に掛かる時間を短縮させる。【解決手段】デジタルＴＶ放送の復調後の信号を該再生機器に出力している期間中、全ての放送周波数に対して受信状態を判定する第一の放送周波数判定手段と、第一の放送周波数判定手段によりその受信状態が良好と判定された放送周波数の情報を記憶する第一の記憶手段と、所定の入力を受け付ける入力受付手段と、入力受付手段が該所定の入力を受け付けたとき、第一の記憶手段に記憶された該情報に対応した放送周波数の各々が受信可能なデジタルＴＶ放送の放送周波数であるか否かを判定する第二の放送周波数判定手段と、放送周波数判定手段による判定結果を記憶する第二の記憶手段とを具備したＴＶ放送受信機を提供する。【選択図】図２
2008016993.tif 000002
【特許請求の範囲】
【請求項１】
サイマル方式のデジタルテレビジョン放送とアナログテレビジョン放送を受信・復調してその何れか一方の形式の復調後の信号を再生機器に出力可能なテレビジョン放送受信機において、
デジタルテレビジョン放送の復調後の信号を該再生機器に出力している期間中、全ての放送周波数に対して受信状態を判定する第一の放送周波数判定手段と、
前記第一の放送周波数判定手段によりその受信状態が良好と判定された放送周波数の情報を記憶する第一の記憶手段と、
所定の入力を受け付ける入力受付手段と、
前記入力受付手段が該所定の入力を受け付けたとき、前記第一の記憶手段に記憶された該情報に対応した放送周波数の各々が受信可能なデジタルテレビジョン放送の放送周波数であるか否かを判定する第二の放送周波数判定手段と、
前記第二の放送周波数判定手段による判定結果を記憶する第二の記憶手段と、を具備したこと、を特徴とするテレビジョン放送受信機。
【請求項２】
アナログテレビジョン放送を選局するための選局手段を更に具備し、
前記第一の放送周波数判定手段は、前記選局手段で選局された放送周波数に対して受信状態を判定すること、を特徴とする請求項１に記載のテレビジョン放送受信機。
【請求項３】
前記第一の放送周波数判定手段は、前記選局手段で選局された放送周波数のうち、受信電力値が所定の閾値よりも高いものを受信状態が良好であると判定すること、を特徴とする請求項２に記載のテレビジョン放送受信機。
【請求項４】
前記入力受付手段は、ユーザによる入力を受け付けるユーザインタフェースであること、を特徴とする請求項１から請求項３の何れかに記載のテレビジョン放送受信機。
【請求項５】
前記第一の放送周波数判定手段及び前記第一の記憶手段は所定のタイミング毎に動作すること、を特徴とする請求項１から請求項４の何れかに記載のテレビジョン放送受信機。
【請求項６】
前記第二の放送周波数判定手段は、受信した放送周波数にデジタルテレビジョン放送であることを示す情報が含まれるか否かを判定すること、を特徴とする請求項１から請求項５の何れかに記載のテレビジョン放送受信機。
【請求項７】
デジタルテレビジョン放送であることを示す情報はＴＭＣＣ（Transmission and Multiplexing Configuration and Control）信号であること、を特徴とする請求項６に記載のテレビジョン放送受信機。
【請求項８】
デジタルテレビジョン放送を含む複数の形式のテレビジョン放送を受信・復調してその何れかの形式の復調後の信号を再生機器に出力可能なテレビジョン放送受信機において、
デジタルテレビジョン放送の復調後の信号を該再生機器に出力している期間中、全ての放送周波数に対して受信状態を判定する受信状態判定手段と、
前記受信状態判定手段によりその受信状態が良好と判定された放送周波数の情報を記憶する記憶手段と、
前記記憶手段に記憶された各放送周波数の受信状態を判定し、受信可能なデジタルテレビジョン放送の放送周波数の情報を取得する放送周波数取得手段と、を具備したこと、を特徴とするテレビジョン放送受信機。
【請求項９】
第一の形式を含む複数の形式のテレビジョン放送を受信・復調してその何れかの形式の復調後の信号を再生機器に出力可能なテレビジョン放送受信機において、
該第一の形式の復調後の信号を該再生機器に出力している期間中、全ての放送周波数に対して受信状態を判定する受信状態判定手段と、
前記受信状態判定手段による判定結果を記憶する記憶手段と、
前記記憶手段に記憶された該判定結果に基づいて、受信可能な第一の形式のテレビジョン放送の放送周波数の情報を取得する放送周波数取得手段と、を具備したこと、を特徴とするテレビジョン放送受信機。
【請求項１０】
第一の形式を含む複数の形式のテレビジョン放送を受信・復調してその何れかの形式の復調後の信号を再生機器に出力可能なテレビジョン放送受信機において、
全ての放送周波数の中から受信状態が良好な放送周波数を絞り込む絞込手段と、
該絞り込まれた放送周波数の各々が受信可能な第一の形式のテレビジョン放送の放送周波数であるか否かを判定する放送周波数判定手段と、
前記放送周波数判定手段による判定結果を記憶する記憶手段と、を具備したこと、を特徴とするテレビジョン放送受信機。
【請求項１１】
該全ての放送周波数は、ＵＨＦ（Ultrahigh Frequency）帯に含まれる全放送周波数であること、を特徴とする請求項１から請求項１０の何れかに記載のテレビジョン放送受信機。
【請求項１２】
移動体に備えられていること、を特徴とする請求項１から請求項１１の何れかに記載のテレビジョン放送受信機。
【請求項１３】
受信可能なデジタルテレビジョン放送の放送周波数の情報を取得するための放送周波数情報取得方法において、
デジタルテレビジョン放送を受信・復調してその復調後の信号を再生機器に出力するステップと、
該復調後の信号を該再生機器に出力している期間中、全ての放送周波数に対して受信状態を判定する第一の放送周波数判定ステップと、
前記第一の放送周波数判定ステップにおいてその受信状態が良好と判定された放送周波数の情報を記憶する第一の記憶ステップと、
所定の入力に呼応して、前記第一の記憶ステップで記憶された該情報に対応した放送周波数の各々が受信可能なデジタルテレビジョン放送の放送周波数であるか否かを判定する第二の放送周波数判定ステップと、
前記放送周波数判定ステップにおける判定結果を記憶する第二の記憶ステップと、を含む放送周波数情報取得方法。
【請求項１４】
アナログテレビジョン放送を選局するための選局ステップを更に含み、
前記第一の放送周波数判定ステップにおいて、前記選局ステップで選局された放送周波数に対して受信状態を判定すること、を特徴とする請求項１３に記載の放送周波数情報取得方法。
【請求項１５】
前記第一の放送周波数判定ステップにおいて、前記選局ステップで選局された放送周波数のうち、受信電力値が所定の閾値よりも高いものを受信状態が良好であると判定すること、を特徴とする請求項１４に記載の放送周波数情報取得方法。
【請求項１６】
前記第一の記憶ステップ終了後に該所定の入力が所定時間ないとき、前記第一の放送周波数判定ステップに復帰すること、を特徴とする請求項１５に記載の放送周波数情報取得方法。
【請求項１７】
前記第二の放送周波数判定ステップにおいて、受信した放送周波数にデジタルテレビジョン放送であることを示す情報が含まれるか否かを判定すること、を特徴とする請求項１３から請求項１６の何れかに記載の放送周波数情報取得方法。
【請求項１８】
受信可能なデジタルテレビジョン放送の放送周波数の情報を取得するための放送周波数情報取得方法において、
デジタルテレビジョン放送を受信・復調してその復調後の信号を再生機器に出力するステップと、
該復調後の信号を該再生機器に出力している期間中、全ての放送周波数に対して受信状態を判定する受信状態判定ステップと、
前記受信状態判定ステップにおいてその受信状態が良好と判定された放送周波数の情報を記憶する記憶ステップと、
前記記憶ステップで記憶された各放送周波数の受信状態を判定し、受信可能なデジタルテレビジョン放送の放送周波数の情報を取得する放送周波数取得ステップと、を含む放送周波数情報取得方法。
【請求項１９】
受信可能な第一の形式のテレビジョン放送の放送周波数の情報を取得するための放送周波数情報取得方法において、
該第一の形式のテレビジョン放送を受信・復調してその復調後の信号を再生機器に出力するステップと、
該復調後の信号を該再生機器に出力している期間中、全ての放送周波数に対して受信状態を判定する受信状態判定ステップと、
前記受信状態判定ステップにおける判定結果を記憶する記憶ステップと、
前記記憶ステップで記憶された該判定結果に基づいて、受信可能な該第一の形式のテレビジョン放送の放送周波数の情報を取得する放送周波数取得ステップと、を含む放送周波数情報取得方法。
【請求項２０】
受信可能な第一の形式のテレビジョン放送の放送周波数の情報を取得するための放送周波数情報取得方法において、
全ての放送周波数の中から受信状態が良好な放送周波数を絞り込む絞込ステップと、
該絞り込まれた放送周波数の各々が受信可能な第一の形式のテレビジョン放送の放送周波数であるか否かを判定する放送周波数判定ステップと、
前記放送周波数判定ステップによる判定結果を記憶する記憶ステップと、を含む放送周波数情報取得方法。
【発明の詳細な説明】
【技術分野】
【０００１】
この発明は、サイマル方式のデジタルテレビジョン（以下、「テレビジョン」を「ＴＶ」と記す）放送とアナログＴＶ放送を受信・復調してその何れか一方の形式の復調後の信号を再生機器に出力可能なＴＶ放送受信機に関する。また、受信可能なデジタルテレビジョン放送の放送周波数の情報を取得するための放送周波数情報取得方法に関する。
【背景技術】
【０００２】
近年、記録媒体や機器等において音声や映像をデジタル形式で処理／管理することが一般化している。このような記録媒体や機器等における音声や映像のデジタル符号化の趨勢は放送関連業界にも波及している。放送関連業界では、現在、地上波アナログＴＶ放送から地上波デジタルＴＶ放送への移行が進められている。
【０００３】
この地上波デジタルＴＶ放送は普及しつつある。しかし、ＴＶ放送を地上波アナログＴＶ放送から地上波デジタルＴＶ放送に移行させるためには大規模な設備投資、莫大な時間、労力、費用等が必要とされる。現在は移行を徐々に進めている段階であり、全国的には地上波デジタルＴＶ放送を視聴可／不可な地域が散在するといった状況にある。また地上波デジタルＴＶ放送を視聴するためにはそれに対応した機器が必要である。視聴者は、地上波デジタルＴＶ放送を視聴するためには新たな機器を購入しなければならない。従って現段階でＴＶ放送を地上波デジタルＴＶ放送に一本化してしまうと、多くの視聴者がＴＶ放送を視聴できなくなってしまう。これらの事情を鑑みて、現在、地上波デジタルＴＶ放送と地上波アナログＴＶ放送とのサイマル放送（すなわちデジタル及びアナログの両形式で同一時間に同一内容の番組を放送する方式）が実施されている。
【０００４】
例えば下記特許文献１には、地上波デジタルＴＶ放送を視聴可／不可な地域が散在することが考慮されて、地上波デジタルＴＶ放送と地上波アナログＴＶ放送の両放送を受信できるよう構成されたＴＶ放送受信機が開示されている。下記特許文献１に記載のＴＶ放送受信機によれば、地上波デジタルＴＶ放送、地上波アナログＴＶ放送それぞれに対するチャンネルスキャン処理が並行して行われる。これにより、下記特許文献１に記載のＴＶ放送受信機では、デジタル及びアナログＴＶ放送の両形式のチャンネルをスキャンするために掛かる時間の短縮が実現される。
【０００５】
なおここでいう「チャンネルスキャン処理」とは、ＴＶ放送受信機が現在良好に受信することができるチャンネルの情報を取得するための処理である。この「チャンネル」とは各放送局の放送周波数に対して便宜的に割り当てられた番号であるが、本明細書では「チャンネル」と「放送周波数」とを同義として扱う。
【特許文献１】特開２００１−２４５３７号公報
【発明の開示】
【発明が解決しようとする課題】
【０００６】
ここで、ＴＶ放送受信機が例えば車両等の移動体に具備されたものであるとき、以下の問題が発生する。例えば移動体が移動して放送エリアを跨ぐような場合（例えばある放送局がカバーする放送エリアから別の放送局がカバーする放送エリアに移動体が移る場合）、同じ系列局であってもそのチャンネルが変わることがある。この場合、ＴＶ放送受信機は、放送エリアを跨ぐ前に受信していた地上波デジタルＴＶ放送を受信できなくなってしまう。視聴者は、番組を継続して視聴するためには所定のユーザ・オペレーションを行い、地上波デジタルＴＶ放送に対するチャンネルスキャン処理をＴＶ放送受信機に実行させる必要がある。このようなユーザ・オペレーションに呼応してチャンネルスキャン処理が実行されると、ＴＶ放送受信機は、新たな放送エリアで受信可能なチャンネル情報を取得する。
【０００７】
上記特許文献１にも記載されているように、地上波デジタルＴＶ放送に対するチャンネルスキャン処理には時間が掛かる。ところが上記特許文献１においても、地上波デジタルＴＶ放送に対するチャンネルスキャン処理そのものに掛かる時間を短縮することはできない。附言するに、当該チャンネルスキャン処理に要する時間はスキャンされるべきチャンネル数に比例して増大してしまう。
【０００８】
またＴＶ放送受信機はチャンネルスキャン処理を実行している間、何れのＴＶ放送も受信することができない。従ってチャンネルスキャン処理実行中、再生機器では何れの番組も表示されず、視聴者によっては不快感や苛立ちを覚え得る。
【０００９】
そこで、本発明は上記の事情に鑑みて、地上波デジタルＴＶ放送に対するチャンネルスキャン処理に掛かる時間を短縮させるのに好適なＴＶ放送受信機及び放送周波数情報取得方法を提供することを課題としている。
【課題を解決するための手段】
【００１０】
上記の課題を解決する本発明の一態様に係るＴＶ放送受信機は、サイマル方式のデジタルＴＶ放送とアナログＴＶ放送を受信・復調してその何れか一方の形式の復調後の信号を再生機器に出力可能な受信機に関するものである。このＴＶ放送受信機は、デジタルＴＶ放送の復調後の信号を該再生機器に出力している期間中、全ての放送周波数に対して受信状態を判定する第一の放送周波数判定手段と、第一の放送周波数判定手段によりその受信状態が良好と判定された放送周波数の情報を記憶する第一の記憶手段と、所定の入力を受け付ける入力受付手段と、入力受付手段が該所定の入力を受け付けたとき、第一の記憶手段に記憶された該情報に対応した放送周波数の各々が受信可能なデジタルＴＶ放送の放送周波数であるか否かを判定する第二の放送周波数判定手段と、放送周波数判定手段による判定結果を記憶する第二の記憶手段とを具備したことを特徴としたものである。
【００１１】
このように構成されたＴＶ放送受信機によれば、デジタルＴＶ放送に対するチャンネルスキャン処理を行う前に、受信可能なデジタルＴＶ放送の可能性のある放送周波数を予め絞り込むことができる。従ってチャンネルスキャン処理を実際に行うときには、予め絞り込まれた放送周波数の情報の中から受信可能なデジタルＴＶ放送の放送周波数の情報を取得するよう動作することができる。すなわち本発明に係るＴＶ放送受信機によればスキャンされるべき対象を予め絞り込むことができるため、チャンネルスキャン処理に掛かる時間が削減されるという効果が奏される。
【００１２】
なお上記ＴＶ放送受信機は、例えばアナログＴＶ放送を選局するための選局手段を更に具備したものであっても良い。この場合、上記第一の放送周波数判定手段は、選局手段で選局された放送周波数に対して受信状態を判定するよう動作する。また、上記選局手段で選局された放送周波数のうち、受信電力値が所定の閾値よりも高いものを受信状態が良好であると判定し得る。
【００１３】
ここで、上記入力受付手段は、例えばユーザによる入力を受け付けるユーザインタフェースであっても良い。
【００１４】
またＴＶ放送受信機において第一の放送周波数判定手段及び第一の記憶手段は所定のタイミング毎に動作しても良い。
【００１５】
またＴＶ放送受信機において第二の放送周波数判定手段は、例えば受信した放送周波数にデジタルＴＶ放送であることを示す情報が含まれるか否かを判定するよう動作することができる。ここでいうデジタルＴＶ放送であることを示す情報とは例えばＴＭＣＣ（Transmission and Multiplexing Configuration and Control）信号であり得る。
【００１６】
また上記の課題を解決する本発明の別の態様に係るＴＶ放送受信機は、デジタルテレビジョン放送を含む複数の形式のテレビジョン放送を受信・復調してその何れかの形式の復調後の信号を再生機器に出力可能な受信機に関するものである。このＴＶ放送受信機は、デジタルテレビジョン放送の復調後の信号を該再生機器に出力している期間中、全ての放送周波数に対して受信状態を判定する受信状態判定手段と、受信状態判定手段によりその受信状態が良好と判定された放送周波数の情報を記憶する記憶手段と、記憶手段に記憶された各放送周波数の受信状態を判定し、受信可能なデジタルテレビジョン放送の放送周波数の情報を取得する放送周波数取得手段とを具備したことを特徴としたものである。
【００１７】
また上記の課題を解決する本発明の別の態様に係るＴＶ放送受信機は、第一の形式を含む複数の形式のＴＶ放送を受信・復調してその何れかの形式の復調後の信号を再生機器に出力可能な受信機に関するものである。このＴＶ放送受信機は、該第一の形式の復調後の信号を該再生機器に出力している期間中、全ての放送周波数に対して受信状態を判定する受信状態判定手段と、受信状態判定手段による判定結果を記憶する記憶手段と、記憶手段に記憶された該判定結果に基づいて、受信可能な第一の形式のＴＶ放送の放送周波数の情報を取得する放送周波数取得手段とを具備したことを特徴としたものである。
【００１８】
また上記の課題を解決する本発明の別の態様に係るＴＶ放送受信機は、第一の形式を含む複数の形式のＴＶ放送を受信・復調してその何れかの形式の復調後の信号を再生機器に出力可能な受信機に関するものである。このＴＶ放送受信機は、全ての放送周波数の中から受信状態が良好な放送周波数を絞り込む絞込手段と、該絞り込まれた放送周波数の各々が受信可能な第一の形式のＴＶ放送の放送周波数であるか否かを判定する放送周波数判定手段と、放送周波数判定手段による判定結果を記憶する記憶手段とを具備したことを特徴としたものである。
【００１９】
ここで、上記ＴＶ放送受信機における全ての放送周波数とは、例えばＵＨＦ（Ultrahigh Frequency）帯に含まれる全放送周波数である。
【００２０】
また上記ＴＶ放送受信機は例えば移動体に備えられたものであっても良い。
【００２１】
また上記の課題を解決する本発明の一態様に係る放送周波数情報取得方法は、受信可能なデジタルテレビジョン放送の放送周波数の情報を取得するための方法に関するものである。この放送周波数情報取得方法は、デジタルテレビジョン放送を受信・復調してその復調後の信号を再生機器に出力するステップと、該復調後の信号を該再生機器に出力している期間中、全ての放送周波数に対して受信状態を判定する第一の放送周波数判定ステップと、第一の放送周波数判定ステップにおいてその受信状態が良好と判定された放送周波数の情報を記憶する第一の記憶ステップと、所定の入力に呼応して、第一の記憶ステップで記憶された該情報に対応した放送周波数の各々が受信可能なデジタルＴＶ放送の放送周波数であるか否かを判定する第二の放送周波数判定ステップと、放送周波数判定ステップにおける判定結果を記憶する第二の記憶ステップとを含む方法である。
【００２２】
このような放送周波数情報取得方法によれば、デジタルＴＶ放送に対するチャンネルスキャン処理を行う前に、受信可能なデジタルＴＶ放送の可能性のある放送周波数を予め絞り込むことができる。従ってチャンネルスキャン処理を実際に行うときには、予め絞り込まれた放送周波数の情報の中から受信可能なデジタルＴＶ放送の放送周波数の情報を取得するよう動作することができる。すなわち本発明に係る放送周波数情報取得方法によればスキャンされるべき対象を予め絞り込むことができるため、チャンネルスキャン処理に掛かる時間が削減されるという効果が奏される。
【００２３】
なお上記放送周波数情報取得方法は、例えばアナログＴＶ放送を選局するための選局ステップを更に含んだものであっても良い。この場合、上記第一の放送周波数判定ステップでは、選局手段で選局された放送周波数に対して受信状態が判定される。また、上記選局ステップで選局された放送周波数のうち、受信電力値が所定の閾値よりも高いものを受信状態が良好であると判定し得る。
【００２４】
ここで、例えば上記第一の記憶ステップ終了後に該所定の入力が所定時間ないとき、上記放送周波数情報取得方法は第一の放送周波数判定ステップに復帰し得る。
【００２５】
また上記第二の放送周波数判定ステップにおいては、例えば受信した放送周波数にデジタルＴＶ放送であることを示す情報が含まれるか否かが判定され得る。
【００２６】
また上記の課題を解決する本発明の別の態様に係る放送周波数情報取得方法は、受信可能なデジタルテレビジョン放送の放送周波数の情報を取得するための方法に関するものである。この放送周波数情報取得方法は、デジタルテレビジョン放送を受信・復調してその復調後の信号を再生機器に出力するステップと、該復調後の信号を該再生機器に出力している期間中、全ての放送周波数に対して受信状態を判定する受信状態判定ステップと、受信状態判定ステップにおいてその受信状態が良好と判定された放送周波数の情報を記憶する記憶ステップと、記憶ステップで記憶された各放送周波数の受信状態を判定し、受信可能なデジタルテレビジョン放送の放送周波数の情報を取得する放送周波数取得ステップとを含む方法である。
【００２７】
また上記の課題を解決する本発明の別の態様に係る放送周波数情報取得方法は、受信可能な第一の形式のテレビジョン放送の放送周波数の情報を取得するための方法に関するものである。この放送周波数情報取得方法は、該第一の形式のテレビジョン放送を受信・復調してその復調後の信号を再生機器に出力するステップと、該復調後の信号を該再生機器に出力している期間中、全ての放送周波数に対して受信状態を判定する受信状態判定ステップと、受信状態判定ステップにおける判定結果を記憶する記憶ステップと、記憶ステップで記憶された該判定結果に基づいて、受信可能な第一の形式のＴＶ放送の放送周波数の情報を取得する放送周波数取得ステップとを含む方法である。
【００２８】
また上記の課題を解決する本発明の別の態様に係る放送周波数情報取得方法は、受信可能な第一の形式のテレビジョン放送の放送周波数の情報を取得するための方法に関するものである。この放送周波数情報取得方法は、全ての放送周波数の中から受信状態が良好な放送周波数を絞り込む絞込ステップと、該絞り込まれた放送周波数の各々が受信可能な第一の形式のＴＶ放送の放送周波数であるか否かを判定する放送周波数判定ステップと、放送周波数判定ステップによる判定結果を記憶する記憶ステップとを含む方法である。
【発明の効果】
【００２９】
本発明によれば、地上波デジタルＴＶ放送に対するチャンネルスキャン処理に掛かる時間を削減するのに好適なＴＶ放送受信機及び放送周波数情報取得方法が提供される。
【発明を実施するための最良の形態】
【００３０】
以下、図面を参照して、本発明の実施の形態のＴＶ放送受信機の構成及び作用について説明する。
【００３１】
図１は、本発明の実施の形態のＴＶ放送受信機を具備した映像音声出力装置１００の構成を示したブロック図である。映像音声出力装置１００は例えば移動体である車両に搭載されている。映像音声出力装置１００はサイマル放送に対応したものであり、地上波デジタルＴＶ放送及び地上波アナログＴＶ放送の両方を受信して処理できるよう設計されている。
【００３２】
映像音声出力装置１００は、制御部１０、デジタルＴＶ用アンテナ１１、デジタルＴＶ用チューナ１２、ＯＦＤＭ（Orthogonal Frequency Division Multiplexing：直交周波数分割多重）復調部１３、ＭＰＥＧ（Moving Picture Experts Group）デコーダ１４、映像切替スイッチ１５、音声Ｄ／Ａコンバータ２１、音声切替スイッチ２３、オーディオアンプ２４、アナログＴＶ用アンテナ３１、アナログＴＶ用チューナ３２、アナログ受信信号復調部３３、受信強度検出部３４、メモリ４０、ディスプレイ５０、スピーカ６０Ｒ、６０Ｌ、及び、受光部７０を具備する。
【００３３】
リモート・コントローラ（以下、「リモコン」と記す）８０には映像音声出力装置１００を操作するための操作キーが設けられている。ユーザがリモコン８０を操作すると、その操作に応じた制御パルスがリモコン８０から出力される。この制御パルスは例えばＩｒＤＡ規格に準拠した信号である。受光部７０はこの制御パルスを受信すると、それを制御部１０に受け渡す。なおリモコン８０が操作されているときには、例えばディスプレイ５０の表示が操作画面に切り替わるようにしても良く、或いは、操作に関する文字情報がディスプレイ５０に表示中の画像に重畳表示されるようにしても良い。
【００３４】
制御部１０は映像音声出力装置１００全体の統括的な制御を司る。制御部１０は、例えば自己に実装された各種プログラム及び受光部７０からの制御パルスに基づいて各構成要素を制御するよう動作する。
【００３５】
ここで、映像音声出力装置１００における一連の信号処理について説明する。
【００３６】
先ず、受信した地上波デジタルＴＶ放送の信号（以下、「デジタル受信信号」と記す）に対する処理について説明する。デジタルＴＶ用アンテナ１１は、地上波デジタルＴＶ放送の各チャンネルのＲＦ（Radio Frequency）信号を受信する機能を有する。デジタルＴＶ用アンテナ１１で受信された各ＲＦ信号は、デジタルＴＶ用チューナ１２に入力する。
【００３７】
デジタルＴＶ用チューナ１２は、入力されたＲＦ信号の中から特定のＲＦ信号を選択する。ここで選択される特定のＲＦ信号は、制御部１０により指定された地上波デジタルＴＶ放送のチャンネル（以下、「デジタル指定チャンネル」と記す）のＲＦ信号である。デジタルＴＶ用チューナ１２は、選択したＲＦ信号を、安定動作や選択特性が改善される中間周波数すなわちＩＦ（Intermediate Frequency）信号に変換する。周波数変換後のＩＦ信号は、図示しないＢＰＦ（Band Pass Filter）により不要な周波数成分が除去された後、ＯＦＤＭ復調部１３に入力する。
【００３８】
デジタルＴＶ用チューナ１２で選択されるチャンネルは、ユーザ・オペレーションによる選局に従って決定される。具体的には、ユーザがリモコン８０を操作して選局を行うと、その操作に応じた制御パルスがリモコン８０から出力される。受光部７０がこの制御パルスを受信して制御部１０に受け渡すと、制御部１０は、デジタル指定チャンネルのＲＦ信号を選択するようデジタルＴＶ用チューナ１２に命令を出す。デジタルＴＶ用チューナ１２はこの命令に従ってチューニング処理を実行する。
【００３９】
なお制御部１０は、デジタルＴＶ用チューナ１２に命令を出すと共にデジタル指定チャンネルの情報をメモリ４０に書き込む。従ってメモリ４０には、常に、ユーザが最後に選択した地上波デジタルＴＶ放送のチャンネルの情報（以下、「デジタルラストチャンネル」と記す）を保持されることになる。ユーザによる選局操作が行われていない場合（例えば電源投入直後等）、制御部１０はメモリ４０を参照して、デジタルラストチャンネルに対応するＲＦ信号を選択するようデジタルＴＶ用チューナ１２に命令を出す。
【００４０】
ＯＦＤＭ復調部１３は、入力されたＩＦ信号をＡ／Ｄ変換してデジタル信号に変換する。次いで、変換されたデジタル信号を例えば数千のキャリアに分割し、各キャリア毎に位相を合わせて合成（例えば周知の最大比合成）処理を行った上で復調する。これにより、ＭＰＥＧ−２トランスポートストリーム信号（以下、「ＴＳ信号」と記す）が得られる。このＴＳ信号はＭＰＥＧデコーダ１４に出力される。
【００４１】
ＭＰＥＧデコーダ１４は、入力されたＴＳ信号をデコードする。これによりＴＳ信号が、デジタルＴＶ放送の映像信号及びデジタルフォーマットの音声信号にデコードされる。デコードされた映像信号は映像切替スイッチ１５に出力される。また音声信号は音声Ｄ／Ａコンバータ２１に出力される。
【００４２】
映像切替スイッチ１５は、制御部１０の命令に従ってスイッチング動作して、ＭＰＥＧデコーダ１４又はアナログ受信信号復調部３３の何れか一方からの入力信号をディスプレイ５０に出力する。例えば地上波デジタルＴＶ放送の番組を再生するようユーザ・オペレーションが成されている場合、映像切替スイッチ１５は、ＭＰＥＧデコーダ１４からの入力信号を出力するようスイッチング制御される。映像切替スイッチ１５から出力された映像信号がディスプレイ５０に入力することで、地上波デジタルＴＶ放送の番組がディスプレイ５０の画面に表示される。
【００４３】
音声Ｄ／Ａコンバータ２１は、ＭＰＥＧデコーダ１４からの音声信号をＤ／Ａ変換して音声切替スイッチ２３に出力する。
【００４４】
音声切替スイッチ２３は、制御部１０の命令に従ってスイッチング動作して、音声Ｄ／Ａコンバータ２１又はアナログ受信信号復調部３３の何れか一方からの入力信号をオーディオアンプ２４に出力する。ここでは地上波デジタルＴＶ放送の番組を再生するようユーザ・オペレーションが成されているため、音声切替スイッチ２３は、音声Ｄ／Ａコンバータ２１とオーディオアンプ２４を接続するようスイッチング制御される。
【００４５】
オーディオアンプ２４は音声切替スイッチ２３からの音声信号を増幅してスピーカ６０Ｒ及び６０Ｌに出力する。これにより、地上波デジタルＴＶ放送の番組の音声がスピーカ６０Ｒ及び６０Ｌで再生される。
【００４６】
次に、受信した地上波アナログＴＶ放送の信号に対する処理について説明する。アナログＴＶ用アンテナ３１は、地上波アナログＴＶ放送の各チャンネルのＲＦ信号を受信する機能を有する。アナログＴＶ用アンテナ３１で受信された各ＲＦ信号は、アナログＴＶ用チューナ３２に入力する。
【００４７】
アナログＴＶ用チューナ３２は、入力されたＲＦ信号の中から特定のＲＦ信号を選択する。ここで選択される特定のＲＦ信号は、制御部１０により指定された地上波アナログＴＶ放送のチャンネル（以下、「アナログ指定チャンネル」と記す）のＲＦ信号である。アナログＴＶ用チューナ３２は、選択したＲＦ信号をＩＦ信号に変換する。次いで、変換されたＩＦ信号をアナログ受信信号復調部３３に出力する。ここで制御部１０により指定されるチャンネルも先と同様にユーザ・オペレーションによる選局に従って決定される。また制御部１０は、アナログ指定チャンネルの情報をメモリ４０に書き込む。従ってメモリ４０には、常に、ユーザが最後に選択した地上波アナログＴＶ放送のチャンネルの情報（以下、「アナログラストチャンネル」と記す）を保持されることになる。ユーザによる選局操作が行われていない場合（例えば電源投入直後等）、制御部１０はメモリ４０を参照して、アナログラストチャンネルに対応するＲＦ信号を選択するようアナログＴＶ用チューナ３２に命令を出す。
【００４８】
アナログ受信信号復調部３３は、入力されたＩＦ信号を映像信号及び音声信号に分離する。次いで、分離された映像信号を所定の形式の映像信号にＡＭ（Amplitude Modulation）復調して映像切替スイッチ１５に出力する。また、分離された音声信号をＦＭ（Frequency Modulation）復調して音声切替スイッチ２３に出力する。
【００４９】
例えば地上波アナログＴＶ放送の番組を再生するようユーザ・オペレーションが成されている場合、映像切替スイッチ１５は、アナログ受信信号復調部３３からの入力信号を出力するようスイッチング制御される。これにより、上記所定の形式の映像信号がディスプレイ５０に入力し、地上波アナログＴＶ放送の番組が当該ディスプレイ５０の画面に表示される。
【００５０】
またこの場合、音声切替スイッチ２３は、アナログ受信信号復調部３３とオーディオアンプ２４を接続するようスイッチング制御されている。従って上記復調された音声信号はオーディオアンプ２４に入力する。この音声信号がオーディオアンプ２４により増幅されてスピーカ６０Ｒ及び６０Ｌに出力されると、地上波アナログＴＶ放送の番組の音声がスピーカ６０Ｒ及び６０Ｌで再生される。
【００５１】
次に、本実施形態の映像音声出力装置１００で実行されるチャンネルスキャン処理、及び、チャンネルスキャン処理前に実行されるプリチャンネルスキャン処理について説明する。先ず、図２に示されたフローチャートを参照して、本実施形態のプリチャンネルスキャン処理について説明する。
【００５２】
本実施形態のプリチャンネルスキャン処理は、例えば映像音声出力装置１００の電源（不図示）がオンされた時点で開始され、当該電源がオフされた時点で終了する。この処理は所定のタイミング毎に実行される。
【００５３】
また映像音声出力装置１００の電源がオンされると、制御部１０は例えばメモリ４０に格納されたデジタルラストチャンネル、アナログラストチャンネルに基づいて、デジタルＴＶ用チューナ１２、アナログＴＶ用チューナ３２を制御する。ここでは、例えば地上波デジタルＴＶ放送を再生するようユーザ・オペレーションが成されているものとする。従って映像音声出力装置１００の各構成要素（デジタル受信信号に対して処理を行う系統）は、上述した一連の処理を実行して映像・音声信号を生成する。次いで、生成された映像・音声信号をディスプレイ５０、スピーカ６０Ｒ、６０Ｌに出力する。これにより、地上波デジタルＴＶ放送の番組が再生される。この一連の処理と並行して、図２に示されるプリチャンネルスキャン処理が実行される。すなわちこのような場合、地上波デジタルＴＶ放送の番組再生中にプリチャンネルスキャン処理が実行される。
【００５４】
制御部１０にはカウンタ部１０ａが内蔵されている。映像音声出力装置１００の電源がオンされると、制御部１０は、カウンタ部１０ａのカウント値ｎを「１３」にセットする（ステップ１、以下、明細書及び図面においてステップを「Ｓ」と略記）。本実施形態ではスキャンすべきチャンネルがＵＨＦ（Ultrahigh Frequency）帯（「１３」乃至「６２」チャンネル）であるため、カウント値ｎは初期的には「１３」にセットされる。
【００５５】
制御部１０はＳ１の処理に次いで、カウント値ｎに対応するチャンネルを選局するようアナログＴＶ用チューナ３２を制御する。アナログＴＶ用チューナ３２は、当該チャンネルに対応したＲＦ信号を選択してＩＦ信号に変換する。そして変換されたＩＦ信号を受信強度検出部３４に出力する。
【００５６】
受信強度検出部３４は、アナログＴＶ用チューナ３２で選局されているチャンネルの帯域内信号レベルを検出するための検出回路である。従ってプリチャンネルスキャン処理が開始されると、受信強度検出部３４は先ず、「１３」チャンネルの帯域内信号レベルを検出することになる。この帯域内信号レベルは、処理対象のチャンネル（帯域幅が約６ＭＨｚ）の受信信号の電力値を表す。受信強度検出部３４は、入力されたＩＦ信号の帯域内信号レベルａを検出してその結果を制御部１０に受け渡す（Ｓ２）。
【００５７】
制御部１０は、Ｓ２の処理で受け渡された検出結果（すなわち帯域内信号レベルａ）が所定の閾値Ａよりも高いか否かを判定する（Ｓ３）。帯域内信号レベルａが所定の閾値Ａよりも高いと判定されるとき（Ｓ３：ＹＥＳ）、制御部１０は、処理対象のチャンネルに対応したＴＶ放送を受信することができ且つディスプレイ５０等で比較的鮮明に再生できると判断してＳ４の処理に進む。なおここでは、処理対象のチャンネルが何れの形式のＴＶ放送のものであるかを確定することはできない。しかし、受信強度検出部３４では単純に受信強度を検出しているだけであるため、地上波デジタルＴＶ放送又は地上波アナログＴＶ放送の何れのチャンネルに対してもその検出結果を得ることができる。
【００５８】
Ｓ４の処理において制御部１０は、処理対象のチャンネルの情報を例えば自己のキャッシュメモリ（不図示）に保持してＳ５の処理に進む。例えばＳ３の処理において「１３」チャンネルの帯域内信号レベルａが所定の閾値Ａよりも高いと判定された場合、制御部１０は、当該「１３」チャンネルの情報を上記キャッシュメモリで保持する。以下、説明の便宜上、上記キャッシュメモリで保持されるチャンネルの情報を「プリチャンネル情報」と記す。
【００５９】
またＳ３の処理において帯域内信号レベルａが所定の閾値Ａ以下と判定されるとき（Ｓ３：ＮＯ）、制御部１０は、処理対象のチャンネルに対応したＴＶ放送が現在の放送エリアでは存在しない、或いは、良好に受信できずディスプレイ５０等で鮮明に再生できないと判断してＳ５の処理に進む。
【００６０】
Ｓ５の処理において制御部１０は、カウント値ｎが「６２」であるか否かを判定する。カウント値ｎが「６２」でないと判定されるとき（Ｓ５：ＮＯ）、制御部１０は、全チャンネルに対する帯域内信号レベルａの判定処理が未完であると判断してカウント値ｎを１インクリメントし（Ｓ６）、Ｓ２の処理に復帰する。そして次の処理対象となるチャンネルに対してＳ２以降の処理を実行する。
【００６１】
これに対してカウント値ｎが「６２」であると判定されるとき（Ｓ５：ＹＥＳ）、制御部１０は、全チャンネルに対する帯域内信号レベルａの判定処理が完了したと判断して、上記キャッシュメモリで保持されているプリチャンネル情報をメモリ４０の第一の領域に書き込む（Ｓ７）。なお、この第一の領域にプリチャンネル情報が既に書き込まれている場合、制御部１０は、新たなプリチャンネル情報を当該第一の領域に上書きする。
【００６２】
制御部１０はＳ７の処理に次いで、所定時間待機する状態に移行する（Ｓ８）。そして所定時間待機後、Ｓ１の処理に復帰して上述した一連の処理を再び実行する。これによりメモリ４０の第一の領域には、常に最新のプリチャンネル情報が保持されることになる。
【００６３】
このように上述したＳ２乃至Ｓ６の処理が繰り返し実行されることにより、メモリ４０の第一の領域には、ＵＨＦ帯の全チャンネルのうちの受信状態が良好とされるチャンネルの情報だけ（すなわちプリチャンネル情報）が書き込まれる。制御部１０は、プリチャンネル情報を参照することで、車両が現在位置する放送エリアにおいて良好に受信することができるチャンネルを知ることができる。
【００６４】
図３に、本実施形態の映像音声出力装置１００で実行されるチャンネルスキャン処理について説明する。先ず、図３に示されたフローチャートを参照して、本実施形態のチャンネルスキャン処理について説明する。
【００６５】
図３のフローチャートの処理は割込処理であり、地上波デジタルＴＶ放送のチャンネルをスキャンするようユーザ・オペレーションが成されたときに開始される。このようなユーザ・オペレーションは、例えば再生中であった地上波デジタルＴＶ放送の番組が再生できない状況に陥ったときに行われ得る。このような状況には例えば車両が放送エリアを跨いだとき等が挙げられる。
【００６６】
制御部１０は先ず、メモリ４０の第一の領域を参照して単一のプリチャンネル情報を選択する（Ｓ１１）。次いで、この選択されたプリチャンネル情報に対応するチャンネル（以下、「選局チャンネル」と記す）を選局するようデジタルＴＶ用チューナ１２を制御する。デジタルＴＶ用チューナ１２は、当該選局チャンネルに対応したＲＦ信号を選択してＩＦ信号に変換する。このＩＦ信号はＯＦＤＭ復調部１３で復調されてＴＳ信号とされ、ＭＰＥＧデコーダ１４でデコードされる。なお、Ｓ１１の処理において制御部１０は、メモリ４０の第一の領域に格納されているプリチャンネル情報のうち、番号の最も若いプリチャンネル情報を選択する。
【００６７】
制御部１０はＭＰＥＧデコーダ１４と通信して、上記選局チャンネルの信号に含まれ得るチャンネル情報（例えばＴＭＣＣ（Transmission and Multiplexing Configuration and Control：伝送多重制御）信号）の取得を試行する（Ｓ１２）。
【００６８】
試行の結果ＴＭＣＣ信号が取得されたとき（Ｓ１３：ＹＥＳ）、制御部１０は、上記選局チャンネルが受信可能な地上波デジタルＴＶ放送のチャンネルであるとして、当該選局チャンネルの情報（以下、「受信チャンネル情報」と記す）をメモリ４０の第二の領域に書き込み（Ｓ１４）、Ｓ１５の処理に進む。なお制御部１０は、Ｓ１４の書込処理を実行する前、当該第二の領域に書き込まれていたデータを消去する。
【００６９】
これに対してＴＭＣＣ信号を取得できなかったとき（Ｓ１３：ＮＯ）、制御部１０は、上記選局チャンネルがＯＦＤＭ復調部１３で復調されずＭＰＥＧデコーダ１４でもデコードされない放送（すなわち地上波アナログＴＶ放送）のチャンネルであるとして、受信チャンネル情報の書込処理をすることなくＳ１５の処理に進む。
【００７０】
Ｓ１５の処理において制御部１０は、メモリ４０の第一の領域に未選択のプリチャンネル情報があるか否かを判定する。未選択のプリチャンネル情報があると判定されるとき（Ｓ１５：ＹＥＳ）、制御部１０は、未選択のプリチャンネル情報のうち、番号の最も若いプリチャンネル情報を選択して（Ｓ１６）、Ｓ１２の処理に復帰する。一方、未選択のプリチャンネル情報がないと判定されるとき（Ｓ１５：ＮＯ）、制御部１０は、全てのプリチャンネル情報に対してＴＭＣＣ信号の取得試行処理を行ったと判断して、本フローチャートの処理を終了する。
【００７１】
制御部１０は、メモリ４０の第二の領域に書き込まれた受信チャンネル情報を、現在の放送エリアで受信可能な地上波デジタルＴＶ放送のチャンネルマップとして参照して受信動作等を実行する。
【００７２】
すなわち本実施形態の映像音声出力装置によれば、地上波デジタルＴＶ放送再生中（或いは他の動作中）にプリチャンネルスキャン処理を実行することにより、スキャンされるべき地上波デジタルＴＶ放送のチャンネルが予め絞り込まれる。チャンネルスキャン処理の対象となるチャンネルを予め絞り込むことにより、当該処理に掛かる時間が削減されるという効果が奏される。またこのような効果は、スキャンされるべきチャンネル数が多ければ多いほど顕著になり得る。
【００７３】
また本実施形態の映像音声出力装置によれば、チャンネルスキャン処理の時間を削減することで、それに起因した番組を表示できない時間を削減することができる。従って、視聴者に与え得る不快感や苛立ちを軽減させられるという副次的な効果も奏する。
【００７４】
また本実施形態の映像音声出力装置によれば、プリチャンネルスキャン処理により、地上波デジタルＴＶ放送のチャンネルに対する絞り込み処理だけでなく、地上波アナログＴＶ放送のチャンネルに対する絞り込み処理も同時に実現される。
【００７５】
以上が本発明の実施形態である。本発明はこれらの実施形態に限定されるものではなく様々な範囲で変形が可能である。
【００７６】
なお、本実施形態のＴＶ放送受信機を具備した映像音声出力装置は車載されたものであるが、別の実施の形態では人が携帯するような機器であっても良い。
【図面の簡単な説明】
【００７７】
【図１】本発明の実施の形態のＴＶ放送受信機を具備した映像音声出力装置の構成を示したブロック図である。
【図２】本発明の実施の形態の映像音声出力装置で実行されるプリチャンネルスキャン処理を示したフローチャートである。
【図３】本発明の実施の形態の映像音声出力装置で実行されるチャンネルスキャン処理を示したフローチャートである。
【符号の説明】
【００７８】
１０  制御部
１１  デジタルＴＶ用アンテナ
１２  デジタルＴＶ用チューナ
１３  ＯＦＤＭ復調部
１４  ＭＰＥＧデコーダ
１５  映像切替スイッチ
２１  音声Ｄ／Ａコンバータ
２３  音声切替スイッチ
２４  オーディオアンプ
３１  アナログＴＶ用アンテナ
３２  アナログＴＶ用チューナ
３３  アナログ受信信号復調部
３４  受信強度検出部
４０  メモリ
５０  ディスプレイ
６０Ｒ、６０Ｌ  スピーカ
７０  受光部
８０  リモコン
１００  映像音声出力装置
【図１】
2008016993.tif 000003
【図２】
2008016993.tif 000004
【図３】
2008016993.tif 000005